(57)【要約】【課題】  暮しを取巻く環境で、今日、空気と水の汚染は進んでいる。  水質汚染は海洋の魚介類までにも及び我々の食生活にも影響が叫ばれだした。空気汚染も言うまでもなく、工場、自動車等の排気ガスで汚染され続けており、取り返しのつかない事態にまでなりだした。【解決手段】  暮しのなかの安らぎの時間を大切にする意味に於いて、マイナスイオンの豊富な空気を身体に取り入れる対策から、植物の光合成を元にして、かもし出されたマイナスイオンをイオンガーデンハウスに満し、これを安らぎの空間へ入気させる。そこで、豊富にマイナスイオンを造成得るために、イオンガーデンの用材や構築材を材質的に遠赤外線の放出量の多い鉱物を混ぜ合わせて製品とすることでその効果を得るようにする。一方、水汚染の解決策として浄化槽の放流水をイオンガーデン内で再浄化し、生魚水槽池で使い、又、再々利用して植物に散水施水して吸収消失させるようにする。【選択図】  １図【特許請求の範囲】
【請求項１】
火山灰礫、腐植土、硅藻土、セメント、柚皮半焼の腐植した物とを混合し、水を加えて練り、植木鉢、プランター、ブロック、敷き材、区画材、杭、水槽池、栽培用材、水路材、植物栽培接触濾過材、生魚水槽池濾過材等のガーデニングの用材の型に流し込み、乾燥固化させ製品にし、それを用いてイオンガーデンを構築したイオンガーデンハウス内で生物植物を育成し、其々の製品から放出成る遠赤外線の相乗効果により、生物植物の活動を活発にさせた結果生物植物が発生するマイナスイオンをイオンガーデン内に豊富に充満させることを特徴としたイオンガーデンによる環境浄化システム。
【請求項２】
イオンガーデンハウス内に充満させたマイナスイオンの豊富な空気をイオンガーデン内から、人の住居や公共施設、会社施設、商業施設等内へと導入気し、その内部のプラスイオン等で汚染された空気をマイナスイオンで浄化することを特徴とした請求項１のイオンガーデンによる環境浄化システム。
【請求項３】
住居、公共施設、会社施設、商業施設等の浄化槽からの放流水をイオンガーデンハウス内の植物栽培槽へ流入させ、その植物栽培槽の植物に吸収させた後、栽培土の下に敷き詰めた接触濾過材で水を浄化し、浄化完了水を生魚水槽に流入させ、生魚水槽内の生魚排泄物混合水を逐次、ガーデンハウス内の散水植物槽の植物へ散水し植物に吸収させる。このようにイオンガーデンハウス内で浄化槽からの放流水を浄化後、その水の再々利用を行なうことで係る範囲で浄化槽からの放流水を無くすることを特徴とした請求項１、２のイオンガーデンによる環境浄化システム。
【請求項４】
火山灰礫と腐蝕土を混ぜ合わせた遠赤外線放出量の豊富な土をイオンガーデン内で植物栽培土として使用し、請求項１による其々の製品から放出なる遠赤外線との相乗効果により、栽培植物を活性化させることを特徴とした請求項１、２、３のイオンガーデンによる環境浄化システム。
【請求項５】
火山灰礫、腐蝕土、硅藻土、セメントとに柚皮半焼きの腐植させた物を加え、更に、伊豆半島産赤色火山礫と高知県産青色蛇紋岩を加え、水で混材後、型入れ半乾き状態でブラシで水洗いして、洗い出し化粧を施すことで製品化するイオンガーデンによる環境浄化システム用材の製造方法。
【請求項６】
火山灰礫、腐植土、硅藻土、セメントとに柚皮半焼きの腐植させた物を加え、更に、伊豆半島産赤色火山礫と高知県産青色蛇紋岩を加え、水で混材後、型入れ半乾き状態で、火山灰を表面に付着させ、バーナーの火力で溶解して化粧を施すことで製品化するイオンガーデンによる環境浄化システム用材の製造方法。
【発明の詳細な説明】
【産業上の利用分野】
【０００１】  本発明は、ガーデニングの構築用材に用いる分野で、植物栽培用材、観賞花育成用材、生魚用材等に用い、其々の製品を構成した共通材質、又は、共通材を有させた材質で、其々の製品形態で環境を浄化することを目的としたイオンガーデンの構築システムに依る環境浄化方法に係るものである。
【背景技術】
【０００２】  従来のガーデニング用材は、石油製品、コンクリート、木、竹、レンガ、陶磁器、素焼材、合成化学樹脂等を材質とする製品が存在する。【０００３】  従来、接触材として火山砂、黒音地土、セメント、活性炭で構成した浄化材を実用新案公報・昭６３−４４１５８が本出願人の出願として考案していたが、本件、活性炭は使用せず柚皮半焼き腐植した物とする方法を用い、先願とは構成材料を異にするばかりでなく、利用の形態も異にするものである。【０００４】  従来の植物育成用材は、鉢、プランター、区画材、敷材、育成土等では、石油化学樹脂類、陶磁器、素焼き材、コンクリート、石、腐蝕土、鹿沼土、赤玉土等は存在するが、本願の材質から成るものは上述の製品に存在しない。【０００５】  従来、生魚等の水槽、池、濾過材等の生魚用材で本願の構成材料から成る製品は存在しない。【０００６】  従来の空気清浄機の方式で、生物植物ガーデン内に充満させたマイナスイオンが豊富な空気を用いる方法のものは存在しない。【０００７】  従来のガーデンで浄化槽の放流水をガーデン内の植物に施水し、その土と接触濾過材で浸潤水を浄化後、生魚の水槽池に流入させ、生魚水槽池の水をガーデン内の植物に散水施水するシステムを用いたガーデンは存在しない。
【発明が解決しようとする課題】
【０００８】  ガーデニングに限らず、日常品でも化学物質や化学薬品を使用した用材は最近敬遠されていることから、公害を出さない材質は元より、それ以上に、材質によりできる限り快適にさせる働きのある製品群を創造しなければならない課題が存在する。
【０００９】  暮らしを取巻く従来環境は、空気汚染や水質汚染も深刻化しているなか、空気清浄エヤコンや浄水器を使用する度合いは増加傾向にある。  そんななか、汚染することのない材質から従来の環境を浄化していく企てをしなければならない課題が存在する。
【００１０】  今日、ともすれば、住居は汚染を垂れ流す場所と化し、ゴミ収集は増大の一途を辿っている。  暮らしの形態を、今、根本的に変える手段で、以後、次世代へと環境浄化のシステムを継承するべきで、それを、安らぎを得ながら暮らすための住居空間の創造とし、空気と水を守ることで得ることができるものと心得その手段を困じるべき課題が存在する。
【００１１】  従来、安らぎを得るための花、植物、動物の育成環境を見れば、石油樹脂製品や化学物質材容器、包装材等が主流となっており、それは、やがてリサイクルのコスト負担や面倒ぐささから、いつしか自然投棄等の環境汚染となっている。  そこで、それらに伴する従来材料から脱皮し、後先、公害を出さないだけでなく、より良く生命現象を助長する。そんな材質を用材へ用いることで、空気、水自然を守り真の安らぎが得られる生物植物環境を呼び戻すべき課題が存在する。
【００１２】  人畜、植物、生魚、等其々掲げた分野に用いる従来用材、食材、土等から見い出せる公害現象は、水質溶解汚染、空気蔓延汚染等から、以後、食物連鎖により人を含めた全生命を脅かす公害化であり、悪しき材質用材が何処までも悪しく働いて止まないものと言える。  そこで、公害は材質に在る。その根源を正すことに解決の道を開く課題が大きく存在する。
【問題を解決するための手段】
【００１３】  本来、生命現象は地球や光、鉱物、土、水、空気、元素、や微生物の上に成立し、食物連鎖は、ある意味では弱者の上にも成立しているというのが総称した表現とできる。そこで、弱者は数という力を持ち変化適応力に優れその種を保つ仕組みを備えている。全生命の食物連鎖バランスは微妙に保たれつつ歴史を刻んでいるものであるからして、その生命連合の一種族の人間だけが、公害を出し、生命環境を脅かし、自ら破滅の道を造り出している。  従って、環境浄化の責任も、常に人にこそ委ねられているものであるという前提に立ち、本願の環境浄化システムの真意は、大きく自然を捕らえて、空気と水を人が守るべきして守れるシステムとするものである。
【００１４】  先ず、水は極力再利用形態で無浄化水は河川海洋に放流しない方法とする。  そして、空気は今日の汚染環境からすれば、石油の無利用が望ましいが、もはやそれは手遅れであるからして、少なくても、身近な所からマイナスイオンの豊富な空気を創造することで、少なからず住居や身近な場所を空気浄化する事を試みるものである。
【００１５】  従来の浄化槽からの放流水や、雑排水をイオンガーデン内で浄化、再々利用し係る施設に於いて、河川、海洋に放流しないようにすることで自然の水を汚染しないようにする。
【００１６】  イオンガーデンの構築に於いて、鉢、プランター、敷き材、土、区画材、玉砂利、水槽、池、棚、壁等可能な限り、遠赤外線を大量に放出する本願請求項の材質で製品化したものを用い、栽培植物を始め、生魚等の活動を活発にさせ、イオンガーデン内にマイナスイオンを豊富に発生させる。
【００１７】  イオンガーデン内のマイナスイオンの豊富な空気を住居や、公共施設、会社施設、商業施設に導入気し、内部のプラスイオン空気を浄化するようにする。
【００１８】  イオンガーデン内の植物栽培槽の植物、土、接触濾過材で従来浄化槽からの放流水を浄化し、その経過後水を生魚水槽に流入させ、その生魚水槽水をイオンガーデン内の散水植物槽で再々利用し、従来の上述放流水を無くする。
【作用】
【００１９】  住居や公共施設、会社施設、商業施設等に人の安らぎの空間を位置させ、其々に可能なかぎり隣接させた場所に本願のイオンガーデンを設置する。  そのイオンガーデンの構築材、用材、土、池、付帯物等に本願製法の材質で遠赤外線放出相乗効果により、此処で育成する植物や飼育する生魚等を活発とさせ植物光合成により内部をマイナスイオンの豊富な空気で満たし、その空気を周辺の上述施設、あるいはイオンガーデンを内包した住居等の人が安らぎの空間とした場所へその空気を送り込む。  一方、従来浄化水槽の放流水をイオンガーデンの植物栽培槽へ流入させ、その槽で放流水を浄化し生魚水槽や池へ流入させる。そして、生魚水槽池の水は植物散水槽へ散水し、植物の肥料源水として吸収を促し消失させ、従来のような浄化槽からの放流水を無くする。
【発明実施の形態】
【００２０】  動物の排泄物を微生物が分解し、炭酸ガス、窒素、燐等の無機物に変えたものを、植物が栄養源として吸収、炭酸ガスはマイナスイオンを含んだ酸素や窒素に燐等は蛋白質や澱粉、ビタミン類等動物の栄養源と化成る現象に、太陽の光のエネルギーである遠赤外線が作用する事実を踏まえて、特に、鉱物の放射する遠赤外線に着目、数ある鉱物から選び出し、其れを混ぜ合わせ、其々の形の製品化としたことで、常時、上述の植物と生魚の育成を身近なガーデン内に再現実施することで環境浄化するものである。
【００２１】  火山灰礫（新島産、鹿児島産）火山灰礫は原石を通し分ける際に付着した砂状のものを含めたもの、又、砂状のものが少ない場合は砂状のものを加えたものである。火山灰成分例とし、％、二酸化珪素７０、４酸化アルミ１４、０酸化鉄２、２３酸化カルシウム５、２３酸化マグネシウム１、４１酸化ナトリウム５、１７酸化チタン０、１９酸化リン０、０４酸化マンガン０、１７である。
【００２２】  腐植土（植物腐植土、黒ボク土、ピートモス）黒ボク土を使用する場合、高知県産より、富士山麓のものが腐蝕性は高く良い。黒ボク土成分例とし、有機物１２、４％フミン酸８、７８（ｍｇ／ｋｇ）フルボ酸１９１、００（ｍｇ／ｋｇ）二酸化珪素５３、１％，以下％、酸化アルミニウム９、８酸化第二鉄１、１５酸化チタン０、２３酸化亜鉛０、０３酸化カルシウム１６、８５酸化マグネシウム０、５３酸化マンガン０、０５酸化硫黄１、０９五酸化リン０、３５酸化ナトリウム１、５１酸化カルシウム１、７５である。
【００２３】  硅藻土成分例とし、％、二酸化珪素６７、９酸化アルミニウム１６、７酸化第一鉄１、６６酸化カルシウム２、５５酸化マグネシウム０、５酸化カリウム４、１５酸化ナトリウム４、４５酸化チタン０、５３酸化マンガン０、０３五酸化リン０、１８である。
【００２４】  セメントは石灰岩を焼成した凝固剤で、強アルカリ性のため生物には有害である。
【００２５】  柚皮半焼きの腐植物はセメントの強アルカリ性成分の中和剤とする。脱臭力も効果が得られ、最終的には製品の色調合わせの効果もかねている。
【００２６】  本願の製法を構成させる上述の各成分は成分例に示すように、多様なイオン分子を含有しているから、イオン反応が相乗し、大量な遠赤外線の放射に期待が持てるものである。
【００２７】  本願の製法で造り出した材質の遠赤外線の放出量検査を高知県技術センターで分析実施したところ、別表添付のとおり信頼性が得られている。
【００２８】  又、ＭＲＡチェックテストによる波動エネルギー測定でも、別紙添付のとおり安らぎが得られる信頼性の評価が得られている。
【００２９】  次に、図面を参照し説明する。  １図は本願システム全体の斜視図である。  イオンガーデンハウス１を断面にしてあり、内部に通路の敷板９を敷いてあり右側の手前にプランター１３、鉢１０を置いてあり、その奥に棚３８に鉢を置いてある。
【００３０】  １図のイオンガーデンハウス１の右側奥に植物栽培槽３を構築しており、住居２０、公共施設２１、会社施設２３、商業施設２４等の浄化槽３９からの放流水を放流水ポンプ２を用い、放流水パイプ１８から区画ブロック３で構築した植物栽培槽３内の植物に施水している。
【００３１】  ２図で示した植物栽培槽３の底辺に接触濾過材２８を敷き詰め、その上に栽培土７を入れ、これに植物１２を植付けてある。  浸潤水が底から、浄化水となり、生魚水槽池送水パイプ２７から、１図に示すように、生魚水槽池４内へ流入させている。
【００３２】  ３図に示すように、生魚水槽池４内へ生魚水槽池送水パイプ２７から流入させた浄化水３４は水中ポンプ６から送り、散水パイプ１５により１図に示すように散水槽５へ蛇口１６からホースｌ７により散水施水する。
【００３３】  １図のイオンガーデンハウス１内左手前の花壇は区画材８で区画している。  又、杭２６区画して散水槽５を構築している。
【００３４】  １図のイオンガーデンハウス１内へ外気を入気口１４から入れており、内部で育成する植物１２の光合成により、マイナスイオンを豊富に充満させた空気として、マイナスイオン空気管１９を用い、住居２０、公共施設２１、会社施設２３商業施設２４内へ入気フアンで送り込む。
【００３５】  ４図では接触濾過材２８を敷き詰めた植物栽培槽３の生魚水槽池送水パイプ２７のコック３２を調節し、内部に、浄化槽放流水パイプ１８から蛇口１６の開閉で放流水２９を満たし、枠台３０で水耕植物３１を植え付けていることを可能としている。
【００３６】  ５図、６図では請求項５、６に記載の製法で化粧仕上げした鉢３６、３７を示してある。
【発明の効果】
【００３７】  本発明は、現代の石油製品や化学物質が公害の根源にもあることを踏まえて、材質を改善したことで、以後、一切公害を及ぼすことがないものとすることで、自然環境を守る効果を奏するものである。
【００３８】  工業や産業の発展に伴う空気汚染は、場所によれば人に公害を及ぼしている。そんな暮らしのなか、従来、空気環境はどうすることもできなかったものであるが、身近にイオンガーデンを構築していくことで、安らぎの空間の空気を清浄にすることができる効果を奏する。
【００３９】  そして、健康的なマイナスイオンを豊富に身体に取入ることのできる効果を奏する。
【００４０】  従来、河川や海洋に放流していた浄化槽の排水をイオンガーデン内で植物に吸収させたり、又、生魚水槽池等に入れたりと、再々利用形態で究極的に消失させることで、河川や海洋を浄化槽放流水で汚染することのない効果を奏する。
【００４１】  イオンガーデンの用材や構築材の遠赤外線の相乗効果で、植物がより活発に健全に育つ効果が得られ、花等美しく観賞できる効果を奏する。  又、栽培作物等は特に無農薬、無化学肥料、無消毒は元より、遠赤外線の効果で理想的菜園となる効果を奏する。
【図面の簡単な説明】
【１】イオンガーデンハウスを併設した住居や施設の全体斜視図である。【２】植物栽培槽の断面図である。【３】生魚水槽池の断面図である。【４】植物栽培槽の水耕栽培形態の断面図である。【５】化粧鉢の丸形斜視図である。【６】化粧鉢の角形斜視図である。
【符号の説明】
１    イオンガーデンハウス  ２    浄化槽放流ポンプ  ３    植物栽培槽と構築ブロック材  ４    生魚水槽池  ５    散水槽  ６    水中ポンプ  ７    栽培土  ８    花壇と区画構築材  ９    敷き板１０    鉢１１    マイナスイオン空気入気ファン１２    植物１３    プランター１４    外気入気口１５    散水パイプ１６    散水蛇口１７    散水ホース１８    浄化槽放流パイプ１９    マイナスイオン空気管２０    住居２１    公共施設２３    会社施設２４    商業施設２５    玉砂利２６    杭２７    放流水ホース２８    接触濾過材２９    放流水３０    枠台３１    水耕植物３２    浄化水コック３３    生魚３４    生魚水槽池水３５    生魚水槽用接触濾過材３６    化粧鉢丸形３７    化粧鉢角形３８    棚
【図１】
2005040554.tif 000002
【図２】
2005040554.tif 000003
【図３】
2005040554.tif 000004
【図４】
2005040554.tif 000005
【図５】
2005040554.tif 000006
【図６】
2005040554.tif 000007